【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
サーバと通信可能にリンクされたクライアントによる使用のためのナビゲーションツール（８４）を含み、前記ナビゲーションツールは、
以前に寄稿された資料と前記以前に寄稿された資料から派生した資料を含む派生物との間を、前記以前に寄稿された資料を前記派生物に関連付ける派生物情報の利用によりナビゲートし、かつ
前記以前に寄稿された資料と前記派生物とが前記クライアントによって提示された量を示すアクセス情報を与えるよう構成される、システム（２０）。
【請求項２】
前記派生物または前記以前に寄稿された資料の１つ以上は、１つ以上のウェブページに含まれる、請求項１に記載のシステム。
【請求項３】
前記ナビゲーションツールはさらに、前記１つ以上のウェブページの１つ以上の特性に基づき、前記１つ以上のウェブページの間をナビゲートするよう構成される、請求項２に記載のシステム。
【請求項４】
派生物が基礎とする以前に寄稿された資料が用いるのとは異なる言語の寄稿された資料を含む派生物を受入れることと、
前記以前に寄稿された資料を提供した寄稿者を特定する属性情報を生成することと、
前記派生物および前記以前に寄稿された資料と関連付けられ、前記派生物を前記以前に寄稿された資料に関連付ける派生物情報を生成することと、
ナビゲーションツールをサポートして、前記ナビゲーションツールが、
前記以前に寄稿された資料の少なくともいくつかへのアクセスを許し、
前記以前に寄稿された資料が提示される際に、派生物の入手可能性を示す通知を提供し、
用いられる言語の選択を可能にし、
選択された言語に基づき前記派生物または前記以前に寄稿された資料のいずれかの提示を可能にし、かつ
前記派生物または前記以前に寄稿された資料の１つ以上が提示された量を示すアクセス情報を提供することを可能にすることとを含む、方法。
【請求項５】
前記アクセス情報と前記属性情報とに基づいて、寄稿者の口座または派生物の寄稿者の口座の１つ以上に自動的に報酬を与えることを更に含む、請求項４に記載の方法。
【請求項６】
前記自動的に報酬を与えることは、前記寄稿者の口座または前記派生物の寄稿者の口座に金銭の分配を自動的に行うことを更に含む、請求項５に記載の方法。
【請求項７】
前記アクセス情報および前記属性情報に基づいて、前記派生物が提示された量を決定することを更に含む、請求項４に記載の方法。
【請求項８】
１つ以上のウェブページ上にパッセージとして前記派生物を提供することを更に含む、請求項４に記載の方法。
【請求項９】
前記属性情報を生成することは、前記以前に寄稿された資料からの資料を切り貼りすることによって前記派生物中の資料が寄稿される場合に、前記属性情報を自動的に生成することをさらに含む、請求項４に記載の方法。
【請求項１０】
派生物が基礎とする以前に寄稿された資料とは異なるメディアタイプの資料を含む派生物を受入れることと、
どの寄稿者が前記以前に寄稿された資料を提供したのかを特定する属性情報を生成することと、
前記派生物を前記以前に寄稿された資料に関連付ける派生物情報を生成することと、
ナビゲーションツールをサポートして、前記ナビゲーションツールが、
前記以前に寄稿された資料の少なくともいくつかへのアクセスを許し、
前記派生物の入手可能性を示す通知を与え、
前記派生物または前記以前に寄稿された資料のいずれかの選択を可能にし、
前記選択に基づき、派生物または前記以前に寄稿された資料のいずれかの提示を可能にし、かつ
前記派生物または前記以前に寄稿された資料の１つ以上が提示された量を示すアクセス情報を提供することを可能にすることとを含む、方法。
【請求項１１】
前記アクセス情報と前記属性情報とに基づいて、前記以前に寄稿された資料の寄稿者の口座または前記派生物の寄稿者の口座の１つ以上に自動的に報酬を与えることを更に含む、請求項１０に記載の方法。
【請求項１２】
前記自動的に報酬を与えることは、前記以前に寄稿された資料の寄稿者の口座または前記派生物の寄稿者の口座の１つ以上に金銭の分配を自動的に行うことを更に含む、請求項１１に記載の方法。
【請求項１３】
前記アクセス情報および前記属性情報に基づいて、前記派生物または前記以前に寄稿された資料の１つ以上が提示された量を決定することを更に含む、請求項１０に記載の方法。
【請求項１４】
前記派生物の寄稿者が前記派生物の特性を特定することを可能にすることを更に含む、請求項１０に記載の方法。
【請求項１５】
前記属性情報を生成することは、前記以前に寄稿された資料からの資料を切り貼りすることによって、派生物中の資料が寄稿された場合に、前記属性情報を自動的に生成することをさらに含む、請求項１０に記載の方法。
【請求項１６】
サーバに格納される寄稿された資料の別のバージョンの寄稿を受入れることを含み、前記別のバージョンの少なくとも何らかの部分は前記寄稿された資料を基礎とし、さらに、
前記別のバージョンに関連付けられる、前記寄稿された資料を提供した寄稿者を特定する属性情報を生成することと、
前記別のバージョンを前記寄稿された資料に関連付ける派生物情報を生成することと、
前記サーバと通信可能にリンクされるクライアント上への前記寄稿された資料の提示を可能にすることと、
前記クライアントによる提示について、前記別のバージョンの入手可能性を示す通知を提供することと、
前記別のバージョンまたは前記寄稿された資料の１つ以上が提示された量を示すアクセス情報を受入れることとを含む、方法。
【請求項１７】
ナビゲーションツールから、提示のために前記寄稿された資料または前記別のバージョンの選択を受入れることをさらに含む、請求項１６に記載の方法。
【請求項１８】
前記アクセス情報と前記属性情報とに基づいて、前記寄稿された資料の寄稿者の口座または前記別のバージョンの寄稿者の口座の１つ以上に自動的に報酬を与えることを更に含む、請求項１６に記載の方法。
【請求項１９】
前記自動的に報酬を与えることは、前記寄稿された資料の寄稿者の口座または前記別のバージョンの寄稿者の口座の１つ以上に金銭の分配を自動的に行うことを更に含む、請求項１８に記載の方法。
【請求項２０】
前記アクセス情報および前記属性情報に基づいて、前記別のバージョンまたは前記寄稿された資料の１つ以上が提示される量を決定することを更に含む、請求項１６に記載の方法。
【請求項２１】
前記別のバージョンまたは前記寄稿された資料を１つ以上のウェブページとして提供することを更に含む、請求項１６に記載の方法。
【請求項２２】
前記１つ以上のウェブページの特性の特定を受入れることを更に含む、請求項２１に記載の方法。
【請求項２３】
１つ以上のウェブページとしてサーバによる格納のための資料を含む派生物の寄稿を可能にすることを含み、前記派生物は、メディアタイプ、言語、主題、および前記派生物中の少なくとも何らかの部分に関連付けられ、別の寄稿者によって前記サーバ上への格納のために以前に提供された寄稿された資料の別のバージョンを含み、前記寄稿された資料はメディアタイプ、言語、および主題に関連付けられ、さらに、
前記派生物に関連付けられ、どの寄稿者が前記寄稿された資料を提供したのかを特定する属性情報を生成することと、
前記派生物を前記寄稿された資料に関連付ける派生物情報を生成することとを含み、前記派生物情報は前記派生物および前記寄稿された資料に関連して格納され、さらに、
ナビゲーションツールをサポートして、前記ナビゲーションツールは、
前記サーバに通信可能にリンクされるクライアントによる、前記寄稿された資料または前記派生物からの資料の少なくともいくつかの提示を可能にし、
前記派生物からの資料または寄稿された資料が提示されるかどうかに基づき、前記派生物からの資料または前記寄稿された資料のいずれかを特定する通知を提供し、かつ
用いられる言語、提示されるバージョン、または提示されるメディアタイプの１つ以上の選択を受入れるのを可能にし、
前記選択に基づき、前記派生物からの資料または前記寄稿された資料のいずれかの提示
を可能にすることと、
前記派生物からの資料または前記寄稿された資料の１つ以上が提示された量を示すアクセス情報を受入れることとを含む、方法。
【請求項２４】
前記アクセス情報と前記属性情報とに基づいて、前記派生物の寄稿者の口座または前記寄稿された資料の寄稿者の口座の１つ以上に自動的に報酬を与えることを更に含む、請求項２３に記載の方法。
【請求項２５】
前記自動的に報酬を与えることは、前記派生物の寄稿者の口座または前記寄稿された資料の寄稿者の口座の１つ以上に金銭の分配を自動的に行うことを更に含む、請求項２４に記載の方法。
【請求項２６】
前記アクセス情報および前記属性情報に基づいて、前記寄稿された資料が提示された量を決定することを更に含む、請求項２３に記載の方法。
【請求項２７】
サーバに既に格納された資料に個々にリンクされる１つ以上のウェブページとして、オーサリングツールで作製された１つ以上の派生物を受入れることと、
他の派生物の作成とは独立して、個々の派生物の作成を許可するよう個々に前記派生物を格納することと、
前記派生物の各々について、前記派生物が派生した資料へのそれぞれの属性リンクを生成することと、
前記派生物について派生物リンクを生成することとを含み、前記派生物リンクは個々の派生物を前記個々の派生物が派生した資料にリンクさせ、さらに、
前記個々の派生物と前記個々の派生物および前記資料から派生した別の派生物との間の派生物リンクおよび属性リンクを生成することを含み、前記別の派生物、前記個々の派生物、および前記資料についての前記派生物リンクおよび属性リンクは、前記個々の派生物、前記別の派生物、および前記資料をリンクするよう構成され、さらに、
前記個々の派生物、前記別の派生物、および前記資料の間の前記派生物リンクおよび属性リンクに沿ったナビゲーションを通じて前記個々の派生物、前記別の派生物、または前記資料の１つ以上の提示をサポートすることと、
前記個々の派生物、前記別の派生物、および前記資料が前記サーバに通信可能にリンクされるクライアントによって提示されたそれぞれの量を示すアクセス情報を受入れることとを含む、方法。
【請求項２８】
前記属性リンクと、前記個々の派生物、前記別の派生物、および前記資料の各々が提示された量とに基づいて、前記個々の派生物の寄稿者の口座、前記資料の寄稿者の口座、または前記別の派生物の寄稿者の口座の１つ以上に自動的に報酬を与えることを更に含む、請求項２７に記載の方法。
【請求項２９】
前記自動的に報酬を与えることは、前記個々の派生物の寄稿者の口座、前記資料の寄稿者の口座、または前記別の派生物の寄稿者の口座の１つ以上に金銭の分配を自動的に行うことを更に含む、請求項２８に記載の方法。
【請求項３０】
前記派生物を作成することは、前記個々の派生物または前記別の派生物に関連付けられる派生物タイプのエントリを受入れることをさらに含む、請求項２７に記載の方法。
【請求項３１】
前記属性リンクを生成することは、前記オーサリングツールが前記個々の派生物または前記資料の１つ以上から切り貼りするよう用いられた際に、前記属性リンクを自動的に生成することを更に含む、請求項２７に記載の方法。
【請求項３２】
前記個々の派生物、前記別の派生物、または前記資料の１つ以上の存在をサーチエンジンに広告することを更に含む、請求項２７に記載の方法。
【請求項３３】
前記１つ以上のウェブページのコンテンツおよび構造を自動的に複製することを更に含む、請求項２７に記載の方法。
【請求項３４】
ナビゲーションツールをサポートして、ナビゲーションツールが派生物および属性リンクに沿ったナビゲーションを通じて資料を提示することを可能にすることを含み、派生物から前記派生物が基礎とする以前に寄稿された資料へのナビゲーションは、前記派生物と前記以前に寄稿された資料との間の属性リンクの使用を通じて行なわれ、前記以前に寄稿された資料から前記派生物へのナビゲーションは、前記以前に寄稿された資料と前記派生物との間の派生物リンクの使用を通じて行なわれ、前記派生物から別の派生物へのナビゲーションは、前記派生物と前記別の派生物との間の派生物リンクの使用を通じて行なわれ、前記別の派生物から前記派生物へのナビゲーションは、前記別の派生物と前記派生物との間の属性リンクの使用を通じて行なわれ、さらに、
前記以前に寄稿された資料、前記派生物、または前記別の派生物の１つ以上が提示された量に関するアクセス情報を該クライアントから受け取ることを含む、方法。
【請求項３５】
以前に寄稿された資料に基づき、オーサリングツールを用いて、派生物を作成することを可能にすることと、
前記派生物からそれらの派生物が基礎とする該以前に寄稿された資料へのそれぞれの属性リンクを自動的に生成することと、
該属性リンクの１つを使用して、任意の派生物から該以前に寄稿された資料へのナビゲーションを可能にすることとを含む、方法。
【請求項３６】
前記以前に寄稿された資料から前記以前に寄稿された資料を基礎とする派生物の少なくとも１つへの派生リンクを自動的に生成することを更に含み、
該派生リンクのうちの少なくとも１つは、該以前に寄稿された資料から該任意の派生物へとナビゲートするのに利用可能である、請求項３５に記載の方法。
【請求項３７】
どの寄稿者が特定の派生物を提供したかを特定する属性情報を生成することを更に含む、請求項３５に記載の方法。
【請求項３８】
前記任意の派生物がソースコードを含む、請求項３５に記載の方法。
【請求項３９】
前記派生物および前記以前に寄稿された資料の少なくとも１つの例は１つ以上のウェブページを含む、請求項３５に記載の方法。
【請求項４０】
前記以前に寄稿された資料および前記派生物の存在をサーチエンジンに広告することを更に含む、請求項３５に記載の方法。
【請求項４１】
スポンサーがインタラクティブウェブブックをセットアップすることを可能にすることと、
寄稿者が該インタラクティブウェブブックに資料を寄稿することを可能にすることと、
該スポンサーおよび該寄稿者の両方を補償することと
を含む、インタラクティブウェブブックを管理する方法。
【請求項４２】
第１インタラクティブウェブブックをサポートすることと、
スポンサーが該第１インタラクティブウェブブックを複製して第２インタラクティブウェブブックを作成することを可能にすることと、
該第２インタラクティブウェブブックから得られた収益に基づいて該第１インタラクティブウェブブックの寄稿者を補償することと
を含む、インタラクティブウェブブックを管理する方法。
【請求項４３】
以前に寄稿された資料と前記以前に寄稿された資料の派生物を含む寄稿された資料とを通じて、前記以前に寄稿された資料と前記寄稿された資料との間のリンクの使用によりナビゲートすることによってサーバ（２２，２４）が格納する資料の提示を可能にすることを含み、前記以前に寄稿された資料および前記寄稿された資料はデータネットワーク（３４）によって前記サーバ（２２，２４）にリンクされるクライアント（２６，２８，３０）の使用を通じて提示され、さらに、
前記以前に寄稿された資料または前記寄稿された資料の１つ以上が提示された量に基づき料金を請求することを含む、方法。
【請求項４４】
前記リンクは、前記寄稿された資料が前記サーバに格納されたときにコンパイルされる派生物情報に含まれる、請求項４３に記載の方法。
【請求項４５】
前記方法はさらに、前記量に基づき金銭報酬を提供することを含む、請求項４３に記載の方法。
【請求項４６】
命令を含む記憶媒体であって、前記命令は計算装置による実行に応答して前記計算装置に
派生物が基礎とする以前に寄稿された資料の派生物を含む、サーバ上の資料にアクセスするのに利用可能であるナビゲーションツールを提供することを行わせ、
前記派生物および前記以前に寄稿された資料は、前記以前に寄稿された資料から前記派生物へナビゲートするのに利用可能である派生物リンクと、前記派生物から前記以前に寄稿された資料へナビゲートするのに利用可能である属性リンクとによってリンクされ、
前記ナビゲーションツールは、前記派生物と、前記派生物を基礎とする別の派生物と、前記以前に寄稿された資料との間をナビゲートするのにも利用可能であり、前記ナビゲートは、
前記別の派生物から前記派生物までナビゲートするのに利用可能な別の属性リンクと、
前記派生物から前記別の派生物までナビゲートするのに利用可能な別の派生物リンクとの使用を通じて行なわれ、
前記ナビゲーションツールは、前記派生物、前記別の派生物、または前記以前に寄稿された資料の１つ以上が提示された量を示すよう構成される、記憶媒体。
【請求項４７】
計算装置による実行に応答して、前記命令はさらに前記計算装置に、前記以前に寄稿された資料、前記派生物、または前記別の派生物の１つ以上が提示された量を示すアクセス情報を提供させる、請求項４６に記載の記憶媒体。
【請求項４８】
計算装置による実行に応答して、前記命令はさらに前記計算装置に、前記量に基づき、前記以前に寄稿された資料に関連する寄稿者口座、前記派生物に関連する寄稿者口座、または前記別の派生物に関連する寄稿者口座の１つ以上に報酬を与えさせる、請求項４６に記載の記憶媒体。
【請求項４９】
計算装置による実行に応答して、前記命令はさらに前記計算装置に
前記以前に寄稿された資料の提示に関連して前記派生物の存在または前記別の派生物の存在の１つ以上を示す通知を、計算装置による実行に応答して提供させる、請求項４６に記載の記憶媒体。